(57)【要約】【課題】血管透過光成分を適正に抽出して血液成分を精度よく分析すること。【解決手段】血液成分分析装置１０において、センサー部１１０は、血管の上方の所定の照射位置から光を照射する発光部１１１と、照射位置とは異なる血管の上方の第１の受光位置で受光する第１の受光器および血管の上方ではない第２の受光位置で受光する第２の受光器を含む受光部１１３とを有する。スペクトル合成部１５６は、第１の受光位置での第１の受光結果と第２の受光位置での第２の受光結果とを、照射位置、第１の受光位置および第２の受光位置の位置関係に基づく所定の合成処理で合成する。血液成分分析部１５７は、合成の結果を用いて血液の成分分析を行う。【選択図】図１２
2015123341.tif 000002
【特許請求の範囲】
【請求項１】
血管の上方の所定の照射位置から光を照射することと、
前記照射位置とは異なる前記血管の上方の第１の受光位置で受光することと、
前記血管の上方ではない第２の受光位置で受光することと、
前記第１の受光位置での第１の受光結果と前記第２の受光位置での第２の受光結果とを、前記照射位置、前記第１の受光位置および前記第２の受光位置の位置関係に基づく所定の合成処理で合成することと、
前記合成の結果を用いて血液の成分分析を行うことと、
を含む血液成分分析方法。
【請求項２】
前記合成することは、
前記第１の受光結果に含まれる血管透過光成分の第１の割合と、前記第２の受光結果に含まれる血管透過光成分量の第２の割合とを設定することと、
前記第１の割合と前記第２の割合とを用いて前記所定の合成処理を実行することと、
を含む請求項１に記載の血液成分分析方法。
【請求項３】
前記所定の合成処理を実行することは、前記第１の割合を用いて算出される前記第１の受光結果に含まれる血管透過光成分の量（以下「第１の血管透過光成分量」という）と、前記第２の割合を用いて算出される前記第２の受光結果に含まれる血管透過光成分の量（以下「第２の血管透過光成分量」という）との差を算出することを含む、
請求項２に記載の血液成分分析方法。
【請求項４】
前記第１の割合を設定することは、前記照射位置と前記第１の受光位置との間の距離に応じた割合に設定することを含み、
前記第２の割合を設定することは、前記照射位置と前記第２の受光位置との間の距離に応じた割合に設定することを含む、
請求項２又は３に記載の血液成分分析方法。
【請求項５】
前記血管の深度に応じて前記第１の割合および前記第２の割合を可変に設定すること、
を更に含む請求項２〜４の何れか一項に記載の血液成分分析方法。
【請求項６】
前記第２の割合に対する前記第１の割合が、前記血管が第１の深度のときよりも、前記第１の深度より深い第２の深度のときの方が大きくなるように、前記第１の割合および前記第２の割合を設定すること、
を更に含む請求項２〜５の何れか一項に記載の血液成分分析方法。
【請求項７】
前記血管の径に応じて前記第１の割合および前記第２の割合を可変に設定すること、
を更に含む請求項２〜６の何れか一項に記載の血液成分分析方法。
【請求項８】
前記第１の割合に対する前記第２の割合が、前記血管が第１の径のときよりも、前記第１の径より大きい第２の径のときの方が大きくなるように、前記第１の割合および前記第２の割合を設定すること、
を更に含む請求項２〜７の何れか一項に記載の血液成分分析方法。
【請求項９】
前記照射位置から前記第１の受光位置までの距離と、前記照射位置から前記第２の受光位置までの距離とを前記血管の深度に応じて変更して、前記第１の受光位置および前記第２の受光位置を位置決めすること、
を更に含む請求項１〜８の何れか一項に記載の血液成分分析方法。
【請求項１０】
前記照射位置から前記第１の受光位置までの距離と、前記照射位置から前記第２の受光位置までの距離とを前記血管の径に応じて変更して、前記第１の受光位置および前記第２の受光位置を位置決めすること、
を更に含む請求項１〜９の何れか一項に記載の血液成分分析方法。
【請求項１１】
前記照射位置と前記第１の受光位置とを含む方向と、前記照射位置と前記第２の受光位置とを含む方向とが交差すること、
を含む請求項１〜１０の何れか一項に記載の血液成分分析方法。
【請求項１２】
血管の上方の所定の照射位置から光を照射するための光源と、
前記照射位置とは異なる前記血管の上方の第１の受光位置で受光するための第１の受光器と、
前記血管の上方ではない第２の受光位置で受光するための第２の受光器と、
前記第１の受光位置での第１の受光結果と前記第２の受光位置での第２の受光結果とを、前記照射位置、前記第１の受光位置および前記第２の受光位置の位置関係に基づく所定の合成処理で合成するための合成部と、
前記合成の結果を用いて血液の成分分析を行うための分析部と、
を備えた血液成分分析装置。
【発明の詳細な説明】
【技術分野】
【０００１】
本発明は、血液の成分分析を行う血液成分分析方法等に関する。
【背景技術】
【０００２】
従来から、被検者に測定光を照射して行う非侵襲診断が行われている。例えば、生体を撮像して得た生体画像の輝度値を用いて血液成分の濃度を分析する手法が知られている（例えば特許文献１，２を参照）。
【先行技術文献】
【特許文献】
【０００３】
【特許文献１】特開２００９−１８９３８９号公報
【特許文献２】特開２００８−８６４４９号公報
【発明の概要】
【発明が解決しようとする課題】
【０００４】
ところで、生体は光の散乱体であることから、生体の表面に照射された測定光は生体内で複雑に散乱しながら伝搬する。また、生体を形成している生体組織は均質ではなく、血管以外にも例えば細胞組織や間質液といった構造物や物質等が存在している。したがって、受光位置での受光結果は血管以外の生体組織の透過光や反射光を含み、更には生体表面で反射した光等も混合される。そのため、測定部位の全域に測定光を照射して単純に受光測定（撮影）するだけでは、無用な透過光や反射光が受光光に多量に混合されてしまい、血液成分の分析精度が低下する場合があった。
【０００５】
本発明は、こうした事情に鑑みてなされたものであり、血管透過光成分を適正に抽出して血液成分を精度よく分析することを目的とする。
【課題を解決するための手段】
【０００６】
以上の課題を解決するための第１の発明は、血管の上方の所定の照射位置から光を照射することと、前記照射位置とは異なる前記血管の上方の第１の受光位置で受光することと、前記血管の上方ではない第２の受光位置で受光することと、前記第１の受光位置での第１の受光結果と前記第２の受光位置での第２の受光結果とを、前記照射位置、前記第１の受光位置および前記第２の受光位置の位置関係に基づく所定の合成処理で合成することと、前記合成の結果を用いて血液の成分分析を行うことと、を含む血液成分分析方法である。なお、本明細書においては、光の照射位置と生体組織内に含まれる血管との位置関係を、血管の「上方の」所定の照射位置と表記する。同様に、光の受光位置と生体組織内に含まれる血管との位置関係を、血管の「上方の」受光位置と表記する。「上方」とは鉛直方向の上方向を意味するものではなく、ユーザーの使用時の一般的な表現の意味で「上方」と表記するものである。
【０００７】
また、別形態として、血管の上方の所定の照射位置から光を照射するための光源と、前記照射位置とは異なる前記血管の上方の第１の受光位置で受光するための第１の受光器と、前記血管の上方ではない第２の受光位置で受光するための第２の受光器と、前記第１の受光位置での第１の受光結果と前記第２の受光位置での第２の受光結果とを、前記照射位置、前記第１の受光位置および前記第２の受光位置の位置関係に基づく所定の合成処理で合成するための合成部と、前記合成の結果を用いて血液の成分分析を行うための分析部と、を備えた血液成分分析装置を構成することとしてもよい。
【０００８】
血管の上方から光を照射する場合、照射位置とは異なる血管上方の第１の受光位置での第１の受光結果は、血管上方ではない第２の受光位置での第２の受光結果と比べて血管透過光成分を多く含む。第１の発明および別形態によれば、第１の受光結果と第２の受光結果とを、照射位置、第１の受光位置、および第２の受光位置の位置関係に基づく所定の合成処理で合成することができる。したがって、血管透過光成分を適正に抽出して血液成分を精度よく分析することができる。
【０００９】
第２の発明は、前記合成することは、前記第１の受光結果に含まれる血管透過光成分の第１の割合と、前記第２の受光結果に含まれる血管透過光成分量の第２の割合とを設定することと、前記第１の割合と前記第２の割合とを用いて前記所定の合成処理を実行することと、を含む第１の発明の血液成分分析方法である。
【００１０】
第２の発明によれば、第１の受光結果に含まれる血管透過光成分の第１の割合と、第２の受光結果に含まれる血管透過光成分の第２の割合とを用いて第１の受光結果と第２の受光結果とを合成処理することができる。したがって、第１の受光結果および第２の受光結果に含まれる血管透過光成分量を反映した合成結果を得ることができる。
【００１１】
第３の発明は、前記所定の合成処理を実行することは、前記第１の割合を用いて算出される前記第１の受光結果に含まれる血管透過光成分の量（以下「第１の血管透過光成分量」という）と、前記第２の割合を用いて算出される前記第２の受光結果に含まれる血管透過光成分の量（以下「第２の血管透過光成分量」という）との差を算出することを含む、第２の発明の血液成分分析方法である。
【００１２】
第３の発明によれば、第１の受光結果に含まれる第１の血管透過光成分量と、第２の受光結果に含まれる第２の血管透過光成分量との差を合成結果として得ることができる。
【００１３】
第４の発明は、前記第１の割合を設定することは、前記照射位置と前記第１の受光位置との間の距離に応じた割合に設定することを含み、前記第２の割合を設定することは、前記照射位置と前記第２の受光位置との間の距離に応じた割合に設定することを含む、第２または第３の発明の血液成分分析方法である。
【００１４】
第４の発明によれば、照射位置と第１の受光位置との間の距離を考慮して第１の割合を設定し、照射位置と第２の受光位置との間の距離を考慮して第２の割合を設定することができる。したがって、第１の受光結果および第２の受光結果に含まれる血管透過光成分量をより反映した合成結果を得ることができる。
【００１５】
第５の発明は、前記血管の深度に応じて前記第１の割合および前記第２の割合を可変に設定すること、を更に含む第２〜第４の何れかの発明の血液成分分析方法である。
【００１６】
第５の発明によれば、血管の深度を考慮して第１の割合および第２の割合を設定することができる。したがって、第１の受光結果および第２の受光結果に含まれる血管透過光成分量をより反映した合成結果を得ることができる。
【００１７】
第６の発明は、前記第２の割合に対する前記第１の割合が、前記血管が第１の深度のときよりも、前記第１の深度より深い第２の深度のときの方が大きくなるように、前記第１の割合および前記第２の割合を設定すること、を更に含む第２〜第５の何れかの発明の血液成分分析方法である。
【００１８】
第６の発明によれば、第２の割合に対する第１の割合が、血管の深度が浅いときよりも深いときに大きくなるように第１の割合および第２の割合を設定することができる。
【００１９】
第７の発明は、前記血管の径に応じて前記第１の割合および前記第２の割合を可変に設定すること、を更に含む第２〜第６の何れかの発明の血液成分分析方法である。
【００２０】
第７の発明によれば、血管の径を考慮して第１の割合および第２の割合を設定することができる。したがって、第１の受光結果および第２の受光結果に含まれる血管透過光成分量をより反映した合成結果を得ることができる。
【００２１】
第８の発明は、前記第１の割合に対する前記第２の割合が、前記血管が第１の径のときよりも、前記第１の径より大きい第２の径のときの方が大きくなるように、前記第１の割合および前記第２の割合を設定すること、を更に含む第２〜第７の何れかの発明の血液成分分析方法である。
【００２２】
第８の発明によれば、第１の割合に対する第２の割合が、血管が細いときよりも太いときに大きくなるように第１の割合および第２の割合を設定することができる。
【００２３】
第９の発明は、前記照射位置から前記第１の受光位置までの距離と、前記照射位置から前記第２の受光位置までの距離とを前記血管の深度に応じて変更して、前記第１の受光位置および前記第２の受光位置を位置決めすること、を更に含む第２〜第８の何れかの発明の血液成分分析方法である。
【００２４】
第９の発明によれば、照射位置から第１の受光位置までの距離と、照射位置から第２の受光位置までの距離とを血管の深度に応じて変更して第１の受光位置および第２の受光位置を位置決めすることができる。
【００２５】
第１０の発明は、前記照射位置から前記第１の受光位置までの距離と、前記照射位置から前記第２の受光位置までの距離とを前記血管の径に応じて変更して、前記第１の受光位置および前記第２の受光位置を位置決めすること、を更に含む第１〜第９の何れかの発明の血液成分分析方法である。
【００２６】
第１０の発明によれば、照射位置から第１の受光位置までの距離と、照射位置から第２の受光位置までの距離とを血管の径に応じて変更して第１の受光位置および第２の受光位置を位置決めすることができる。
【００２７】
第１１の発明は、前記照射位置と前記第１の受光位置とを含む方向と、前記照射位置と前記第２の受光位置とを含む方向とが交差すること、を含む第１〜第１０の何れかの発明の血液成分分析方法である。
【００２８】
第１１の発明によれば、照射位置と第１の受光位置とを含む方向と、照射位置と第２の受光位置とを含む方向とが交差する位置関係で第１の受光位置および第２の受光位置を位置決めすることができる。
【図面の簡単な説明】
【００２９】
【図１】図１は、血液成分分析装置の構成例を示す外観図である。
【図２】図２は、センサーモジュールの構成例を示す図である。
【図３】図３は、血管位置情報の取得方法を示す概念図である。
【図４】図４は、生体画像を模式的に示す図である。
【図５】図５は、皮膚表面を模式的に示す平面図である。
【図６】図６は、皮下組織層を模式的に示す斜視図である。
【図７】図７は、皮下組織層の構造を再現して求めた血管透過光の強度分布のシミュレーション結果を示す図である。
【図８】図８は、皮下組織層の構造を再現して求めた全透過光の強度分布のシミュレーション結果を示す図である。
【図９】図９は、ｙ方向比率およびｘ方向比率の変化をグラフ化した図である。
【図１０】図１０は、合成処理を示す概念図である。
【図１１】図１１は、相対スペクトルの合成結果を模式的に示す図である。
【図１２】図１２は、血液成分分析装置の主要な機能構成例を示すブロック図である。
【図１３】図１３は、測定点データのデータ構成例を示す図である。
【図１４】図１４は、分析処理の処理手順を示すフローチャートである。
【図１５】図１５は、適用比率データテーブルのデータ構成例を示す図である。
【発明を実施するための形態】
【００３０】
以下、図面を参照して、本発明の血液成分分析方法および血液成分分析装置を実施するための一形態について説明する。なお、以下説明する実施形態によって本発明が限定されるものではなく、本発明が適用可能な形態は、以下の実施形態に限定されるものでもない。また、図面の記載において、同一部分には同一の符号を付す。
【００３１】
図１は、本実施形態における非侵襲式の血液成分分析装置１０の構成例を示す外観図である。この血液成分分析装置１０は、被検者２の血液を成分分析する分析器として機能し、且つ、分析データを記憶するデータロガーとしても機能する装置であり、一種のコンピューターとも言える。図１に示すように、血液成分分析装置１０は、外観は腕時計型を成しており、本体ケース１２に設けられたバンド１４で被検者２の腕や足、頸等の身体部位へ装着・固定して使用される。
【００３２】
血液成分分析装置１０は、本体ケース１２の表面（被検者２に装着した時に外向きになる面）に、操作入力手段として、操作スイッチ１６と、画像表示手段を兼ねるタッチパネル１８とを備える。ユーザーは、これらを用いて分析開始操作等の各種操作入力をすることができる。
【００３３】
また、本体ケース１２の側面には、外部装置と通信するための有線ケーブルを着脱できる通信装置２０と、メモリーカード２２のデータ読み書きを実現するリーダーライター２４とを備える。また、本体ケース１２の背面（被検者２に装着した時に被検者２の皮膚に接触する面）側には、測定光の照射および受光測定のための主たるセンサーとなるセンサーモジュール５０を備える。そして、本体ケース１２の内部には充電式の内蔵バッテリー２６と制御基板３０とが内蔵されている。
【００３４】
通信装置２０は、外部装置との通信を無線で行う構成ならば、無線通信モジュールおよびアンテナにより実現される。
メモリーカード２２は、データ書き換えが可能な着脱式の不揮発性メモリーである。本実施形態ではフラッシュメモリーを用いるが、強誘導体メモリー（ＦｅＲＡＭ：Ferroelectric Random Access Memory）や、磁気抵抗メモリー（ＭＲＡＭ：Magnetoresistive Random Access Memory）等その他の書き換え可能な不揮発性メモリーを用いるとしてもよい。
内蔵バッテリー２６への充電方式は適宜設定できる。例えば、本体ケース１２の背面側に電気接点を別途設け、家庭用電源に接続されたクレードルにセットし、電気接点を介してクレードル経由で通電・充電される構成でもよいし、非接触式の無線式充電でもよい。
【００３５】
制御基板３０は、血液成分分析装置１０を統合的に制御する。具体的には、ＣＰＵ（Central Processing Unit）３２と、メインメモリー３４と、分析データ用メモリー３６と、タッチパネルコントローラーＩＣ（Integrated Circuit）３８と、センサーモジュールコントローラー４０とを搭載する。また、その他には電源管理ＩＣや、画像処理用ＩＣ等の電子部品を適宜搭載することができる。
【００３６】
メインメモリー３４は、プログラムや初期設定データを格納したり、ＣＰＵ３２の演算値を格納することのできる記憶媒体である。ＲＡＭやＲＯＭ、フラッシュメモリー等を適宜用いて実現される。なお、プログラムや初期設定データは、メモリーカード２２に記憶されている構成でもよい。
【００３７】
分析データ用メモリー３６は、データ書き換えが可能な不揮発性メモリーであって、血液成分の分析データを記憶するための記憶媒体である。本実施形態ではフラッシュメモリーを用いるが、強誘導体メモリー（ＦｅＲＡＭ）や、磁気抵抗メモリー（ＭＲＡＭ）等その他の書き換え可能な不揮発性メモリーを用いるとしてもよい。なお、分析データは、メモリーカード２２に記憶される構成でもよい。
【００３８】
タッチパネルコントローラーＩＣ３８は、タッチパネル１８に画像を表示させるためのドライバー機能を実現し、またタッチ入力を実現するための機能を実現するＩＣである。タッチパネル１８ともども公知技術を適宜利用することで実現可能である。
【００３９】
センサーモジュールコントローラー４０は、センサーモジュール５０による測定光の照射機能、および当該測定光が被検者２の生体組織を透過した光（透過光）や反射した光（反射光）の受光制御を行う機能を担うＩＣや回路を有する。
より具体的には、センサーモジュール５０が備える複数の発光素子（通電により測定光を発する素子）を個別に発光制御するＩＣや回路からなる発光コントローラー部４２と、センサーモジュール５０が備える複数の受光素子（受光した光量に応じた電気信号を発する素子）による受光を制御するＩＣや回路からなる受光コントローラー部４４と、を含む。
【００４０】
なお、センサーモジュールコントローラー４０は、複数のＩＣにより構成してもよい。例えば、発光コントローラー部４２に相当するＩＣや回路と、受光コントローラー部４４に相当するＩＣや回路とをそれぞれ別のＩＣとする構成も可能である。或いは、これらの機能の一部をＣＰＵ３２により実現する構成も可能である。
【００４１】
図２は、本実施形態におけるセンサーモジュール５０の構成例を示す図であって、（１）正面図、（２）断面図に相当する。なお、理解を容易にするために発光素子５２や受光素子５４を意図的に大きく記している。また、サイズ、縦横比等もこれに限られるものではなく、適宜設定可能である。
【００４２】
センサーモジュール５０は、光源としての複数の発光素子５２を平面状に配列した層と、第１の受光器および第２の受光器としての複数の受光素子５４を平面状に配列した層とを積層して構成されるデバイスである。換言すれば、光源内蔵型のイメージセンサーであり、測定光の照射と受光の両方の機能を実現するセンサアレイである。センサーモジュール５０は、センサーモジュールコントローラー４０と一体に構成されるとしてもよい。
【００４３】
発光素子５２は、測定光を照射する照射部であり、例えばＬＥＤ（Light Emitting Diode）、ＯＬＥＤ（Organic light-emitting diode）等により実現できる。血液を成分分析して血中グルコース濃度（いわゆる「血糖値」）を算出（推定）する場合には、生体透過性の高い近赤外光（７００［ｎｍ］〜１３００［ｎｍ］程度）を含む光を照射可能な素子とする。近赤外光には、生体内で散乱しにくく、且つ、生体内に多量に存在する水の吸収が少ない波長帯域が存在するためである。これに対し、可視光は、水の吸収が少ない一方で散乱性が高いため、生体内の深部の情報を反映した光強度分布を得にくい。また、赤外光やテラヘルツ領域の波長は、散乱は少ないものの水の吸収が大きく、生体透過性が低い。本実施形態では、発光素子５２は近赤外光を照射することとし、血液成分として血糖値を算出するものとして説明する。
【００４４】
受光素子５４は、測定光の透過光や反射光を受光し、受光量に応じた電気信号を出力する撮像素子である。例えば、ＣＣＤ（Charge Coupled Device Image Sensor）、ＣＭＯＳ（Complementary Metal Oxide Semiconductor Image Sensor）等の半導体素子で実現できる。一つの受光素子５４は、ＲＧＢ各波長成分を受光する複数の素子を含むものとする。
【００４５】
そして、センサーモジュール５０は、基底側（本体ケース１２の表側）から順に、
１）複数の受光素子５４を平面状且つ格子状に配列した受光層５１、
２）各受光素子５４へ向かう光以外を選択的に遮蔽する遮光層５３、
３）近赤外光を選択的に透過する分光層５５、
３）隣接する受光素子５４の間であって、生体組織を透過・反射した光が受光素子５４へ到達する際の光路を阻害しない位置に、複数の発光素子５２を平面状且つ格子状に配列した発光層５７、
を積層して備える。
【００４６】
受光層５１の受光素子５４は、公知のＣＣＤイメージセンサー等のように、ピクセルがＸｓ−Ｙｓ直交座標系で識別できるマトリクス状に配置されている。つまり、センサーモジュール５０は公知のイメージセンサーと同様に機能する。なお、受光素子５４の形状や大きさ、配置パターンは適宜設定可能である。
【００４７】
発光層５７の発光素子５２は、センサーモジュール５０を正面（本体ケース１２の裏側）から見ると、近隣の受光素子５４の隅の突き合わせ部に１つずつ配置される。より具体的には、４つの受光素子５４の角の突き合わせ部に１つの発光素子５２が配置されており、発光素子５２全体としては受光素子５４と同じＸｓ−Ｙｓ直交座標系で識別できるマトリクス状に配置されている。本実施形態では、発光素子５２を選択的に発光させる駆動機構を有しており、例えば、液晶パネルディスプレイのアクティブマトリクス方式と同様に駆動制御できるようになっている。
【００４８】
こうした積層構造を有したセンサーモジュール５０の作成には、公知のＣＣＤイメージセンサーやＯＬＥＤディスプレイの製造に用いられる半導体微細加工技術を適宜応用することができる。
【００４９】
なお、発光素子５２の大きさや配置間隔、受光素子５４の大きさや配置間隔等は、適宜設定可能である。例えば、配置間隔は、１〜５００［μｍ］とすると好適であり、製造コストと測定精度との兼ね合いから、例えば５０〜２００［μｍ］程度とすることもできる。また、センサーモジュール５０には、発光素子５２から照射される測定光の照射範囲を絞ったり、偏光する目的、あるいは生体組織を透過・反射した光を受光素子５４に的確に集める目的で、更なる光学素子を有する集光層を設けることもできる。また、表面の損傷を防止する保護層等を適宜設けてもよい。また、発光素子５２と受光素子５４とが積層された構成に限らず、発光素子５２と受光素子５４とが並置されていてもよい。
【００５０】
［原理］
血液成分分析装置１０は、センサーモジュール５０が露出している裏面を被検者２の皮膚に密着させるようにしてバンド１４で固定される。センサーモジュール５０を皮膚に密着させることで、測定光の皮膚表面での反射や皮膚表面付近の組織での散乱といった測定精度を下げる要因を抑制することができる。
【００５１】
分析にあたっては、先ず、センサーモジュール５０を被せた身体の皮下にある血管の一部を測定対象の血管として選択し、当該血管をターゲットとして測定光の照射および受光測定を行う。そして、測定結果（受光結果）から測定対象の血管を透過した血管透過光成分を抽出し、その血管透過光成分量を反映した相対スペクトルを合成する合成処理を行って、血液中に含有される血糖値を算出する。
【００５２】
測定対象の血管を選択するためには、先ずセンサーモジュール５０を被せた皮下のどこに血管が存在するかを把握する必要がある。図３は、本実施形態における血管位置の取得方法を示す概念図であって、被検者２にセンサーモジュール５０を被せた部分の断面図に相当する。なお、センサーモジュール５０は簡略表記している。
【００５３】
血管位置を取得するには、公知の静脈認証技術における静脈パターン検出と同様にして、センサーモジュール５０が備える発光素子５２を一斉発光させて被検者２の測定部位全域へ測定光を照射する。そして、全ての受光素子５４を用い、皮下の生体組織（皮下組織）を透過・反射した光を受光測定（撮影）して生体画像を取得する。
【００５４】
ここで、センサーモジュール５０により撮像される生体画像は、センサーモジュール５０の受光素子５４それぞれに対応するピクセルの輝度データの集合となり、センサーモジュール５０のピクセル座標と同じＸｓ−Ｙｓ直交座標系の２次元画像として得られる。血管は、内部を流れる血液の影響で、血管以外の生体組織部分（以下、「非血管部」という。）よりも近赤外光を吸収し易いため、血管部分は非血管部分よりも輝度が低く暗くなる。したがって、生体画像において輝度が低くなっている部分を抽出することで、ピクセル毎に血管が写っているのか非血管部が写っているのか、換言すれば、各受光素子５４の下に血管があるか否かを識別できる。
【００５５】
図４は、被検者２の測定部位の生体画像を模式的に示す図である。図４の例では、斜線あるいはドットパターンでハッチングした帯状の部分が血管７を示し、白抜きされた部分が非血管部８である。なお、血管位置の取得方法は例示した方法に限定されるものではない。例えば、超音波エコーやＭＲＩ（Magnetic Resonance Imaging）、ＣＴ（Computed Tomography）等の公知の生体断層画像計測技術を利用して事前に生体内部構造の相対的な位置を取得しておき、それをもとに血管位置を決定する方法も考えられる。
【００５６】
血管７の位置を取得したならば、血管７の上方に位置する発光素子５２を選択的に用いて照射位置とし、この照射位置から測定光（近赤外光）を照射して皮下組織を透過・反射した光を受光測定する。より詳細には、その照射位置が血管の構造的中心と一致する発光素子５２を選択的に用いる。
【００５７】
なお、測定対象となる血管以外の非血管部、例えば、細胞組織や間質液等の部分の透過光は、本来得たい血管透過光の分光スペクトル（以下、「血管吸光スペクトル」という。）に影響を及ぼし得る。また、非血管部に測定光が当たれば少なからず反射光が生じ、同様に血管吸光スペクトルに影響を及ぼす要因となる。このような無用な透過光や反射光の影響を抑制するため、実際の処理では、前述のように位置が把握された血管７から測定に適した血管部位が測定対象として選択される。具体的には、図４にて破線で囲まれた血管７の分岐点や合流点等は測定対象から除外される。このような分岐点や合流点等に測定光が及ぶと、受光位置での受光光（以下、「全透過光」という。）に非血管部の透過光等が混合し易いためである。また、測定対象とする血管部位には最低限の長さが要求される。例えば、図４中の斜線のハッチング部分の血管部位７ａが測定対象として選択される。
【００５８】
次に、合成処理について説明する。図５は、測定部位の皮膚表面（生体組織表面）８１１を模式的に示す平面図であり、皮下を走行する測定対象の血管７１の位置にハッチングを付して示している。また、図６は、図５に示す皮膚表面８１１の皮下組織層８１を模式的に示す斜視図である。ここで、図５および図６に図示するように、皮膚表面８１１と平行な面において、血管７１の径方向をｘ方向、血管７１の走行方向をｙ方向とし、照射位置Ｐ１１を原点とする座標系をｘ−ｙ直交座標系と定義する。
【００５９】
上記したように、本実施形態では、測定対象とした血管７１の上方に位置する発光素子５２が選択されて照射位置Ｐ１１とされ、測定光を照射する。この照射位置Ｐ１１から照射された測定光Ｂは、一部が皮膚表面８１１で反射され、一部が皮下組織層８１に侵入する。そして、皮下組織層８１に侵入した測定光は、図５および図６中に破線矢印で示すように、皮下組織層８１内を複雑に散乱しながら透過し、皮膚表面８１１に到達する。このようにして皮膚表面８１１に到達した透過光には、血管７１を透過した光、すなわち、照射位置Ｐ１１から皮膚表面８１１に到達するまでの経路が血管７１を経由している光（血管透過光）と、血管７１を透過しなかった光、すなわち、照射位置Ｐ１１から皮膚表面８１１に到達するまでの経路が血管７１を経由していない光（血管非透過光）とが含まれる。
【００６０】
ここで、照射位置Ｐ１１からの距離（以下、「測定点距離」という。）Ｒが同じ同心円上の受光素子５４により受光される透過光に血管透過光成分がどの程度含まれるのかを考えると、照射位置Ｐ１１からｙ方向に沿って離れた血管７１の上方の受光素子５４の位置（以下、「第１の受光位置」という。）Ｐ２１において受光される透過光の強度に含まれる血管透過光成分の割合が他と比べて多くなることが想定できる。この第１の受光位置Ｐ２１で受光される透過光は、照射位置Ｐ１１を起点に概ね血管７１の走行方向（ｙ方向）に沿って伝搬した光だからである。これに対し、照射位置Ｐ１１からｘ方向に沿って離れた血管７１の上方ではない受光素子５４の位置（以下、「第２の受光位置」という。）Ｐ２３で受光される透過光は、照射位置Ｐ１１を起点に概ね血管７１の径方向（ｘ方向）に沿って伝搬した光であることから、血管透過光成分の割合は少ないと考えられる。
【００６１】
そこで、照射位置Ｐ１１から実際の測定に用いる測定光と同様の光（近赤外光）を照射した場合に皮膚表面８１１の全域で観測される血管透過光の強度分布および透過光の強度分布を実験的に求めた。実験は、生体を模したファントムを用いたサンプル測定、あるいは生体を模したシミュレーションによって図５および図６に示す皮下組織層８１の構造を再現し、照射位置からの光の経路を予測することで行うことができる。このとき、血管７１を透過したか否かを明確に区別するために、血管７１を特定の波長に励起される蛍光体や非血管部とは異なる吸収特性を有する吸収体等として設定し、分光によってこれらを区別できるようにして実験を行うようにする。
【００６２】
例えば、モンテカルロシミュレーションによって皮下組織層８１の構造を再現し、実験を行った。その際、入射光に対し、非等方性パラメータを０．８１、屈折率を１．３７、平均自由行程を０．０５７ｍｍとする散乱体を定義し、皮下組織層８１を想定した。また、散乱体の内部において、血管７１を想定した直径２．３ｍｍの円柱構造をその中心が散乱体の上面から２ｍｍの深さ位置となるように設定した。シミュレーションは、１００万回行った。
【００６３】
図７および図８に、シミュレーション結果を示す。図７は、皮膚表面８１１内における血管透過光の強度分布を示し、図８は、皮膚表面８１１内における血管透過光および血管非透過光を含む全透過光の強度分布を示している。図７および図８において、中心がｘ−ｙ直交座標系の原点すなわち照射位置に対応する。また、ｘ軸上およびｙ軸上の位置で得た観測結果を対象に、全透過光の強度に含まれる血管透過光成分の割合を求めた。図９は、横軸を測定点距離Ｒとし、縦軸を全透過光の強度に含まれる血管透過光成分の割合として、ｙ軸上での血管透過光成分の割合（第１の割合；以下、「ｙ方向比率」という。）の変化を実線で、ｘ軸上での血管透過光成分の割合（第２の割合；以下、「ｘ方向比率」という。）の変化を一点鎖線でグラフ化した図である。
【００６４】
図７に示すように、血管透過光の強度が強く明るい範囲はｘ方向と比べてｙ方向で広く、血管透過光の強度は、照射位置を中心に血管の走行方向を長軸とする楕円状に分布することがわかった。そして、ｘ軸上の位置およびｙ軸上の位置に着目すると、図９に示すように、ｘ方向比率と比べてｙ方向比率の方が高く、ｙ軸上の各位置において全透過光に血管透過光が多く含まれることがわかった。一方で、図８に示すように、全透過光の強度は、照射位置を中心として等方的に分布することがわかった。
【００６５】
また、図９に示すように、ｙ方向比率およびｘ方向比率は、ともに測定点距離Ｒが所定距離までは長くなるにつれて増加する傾向にあり、照射位置と受光位置とがある程度離れている方が全透過光に血管透過光が多く含まれることがわかった。これは、測定対象の血管７１が深部に存在し、血管透過光は、皮下組織層８１の深部を透過した光の強度分布に従うためである。一般に、散乱体に照射した光を照射面側で観測する場合、照射位置の近傍で観測される光は散乱体の表層で反射した光を多く含み、照射位置から離れた位置で観測された光は散乱体の深部を透過した光を多く含む。ただし、測定点距離Ｒが長くなれば、受光する全透過光の強度自体は小さくなる。
【００６６】
以上のシミュレーション結果をふまえ、本実施形態の合成処理では、第１の受光位置Ｐ２１での第１の受光結果すなわち第１の受光位置Ｐ２１で受光した全透過光の強度と、第２の受光位置Ｐ２３での第２の受光結果（第２の受光位置Ｐ２３で受光した全透過光の強度）とを、上記要領でシミュレーション等により求めたｙ方向比率およびｘ方向比率を用いて合成処理する。図１０は、合成処理を示す概念図である。図１０の左側には、上段にｙ軸上の全透過光の強度分布を、下段にｙ方向比率の変化をそれぞれ模式的に示している。一方、図１０の右側には、上段にｘ軸上の全透過光の強度分布を、下段にｘ方向比率の変化をそれぞれ模式的に示している。
【００６７】
先ず、全透過光の強度が照射位置を基準に等方的に分布する一方で、その血管透過光成分量はｙ軸上の位置で多いことから、ｙ方向比率が最も大きい測定点距離（以下、「最適測定点距離」という。）Ｒ１によって定まるｙ軸上の位置において、全透過光の強度に含まれる血管透過光成分量は最大となる。
【００６８】
そこで、本実施形態では、事前にｙ方向比率の変化を求め、ｙ方向比率の最大値（以下、「ｙ方向適用比率」という。）に対応する測定点距離Ｒを最適測定点距離Ｒ１として設定しておき、合成処理に用いる。例えば、図１０の左側下段のｙ方向比率の変化を表すｙ方向比率関数を測定点距離Ｒの関数Ｆｙ（Ｒ）として求め、最適測定点距離Ｒ１と、その関数値であるｙ方向適用比率Ｆｙ（Ｒ１）を設定しておく。このｙ方向適用比率Ｆｙ（Ｒ１）を最適測定点距離Ｒ１において受光した全透過光の強度Ｉｙに乗じた値Ｆｙ（Ｒ１）・Ｉｙは、全透過光の強度Ｉｙに含まれる血液透過光成分量（第１の血液透過光成分量）に相当し、これによって第１の受光結果から血液透過光成分を抽出することができる。
【００６９】
そして、実際の測定において、照射位置とした発光素子５２からの距離がｙ方向に沿って最適測定点距離Ｒ１である受光素子５４を選んで第１の受光位置Ｐ２１を位置決めし、測定光の照射および受光測定を行う。その後、次式（１）に従い、第１の受光位置Ｐ２１での受光結果（全透過光の強度）Ｉｙｍとｙ方向適用比率Ｆｙ（Ｒ１）とから第１の血管透過光成分量Ｌを算出する。
Ｌ＝Ｆｙ（Ｒ１）・Ｉｙｍ  ・・・（１）
【００７０】
一方、第２の受光結果は、非血管部の透過光が血管吸光スペクトルに及ぼす影響を低減させるために用いる。上記したように、血管は皮下組織層の深部に存在していることから、血管透過光は、受光位置で受光されるまでの過程で必ず非血管部を経由している。特に、非血管部を形成している間質液には、本血液成分分析装置１０が分析対象としているグルコースが含まれることから、このような非血管部の透過光が血管吸光スペクトルに影響して血糖値の算出精度の低下を招くおそれがある。
【００７１】
ここで、測定点距離Ｒが等しいｘ軸上の位置で観測される全透過光も血管透過光を含んでおり、且つ、ｙ方向比率に比べてｘ方向比率が小さい（図９を参照）。このことから、ｘ軸上で観測される全透過光の強度に含まれる血管透過光成分量を得て第１の血管透過光成分量との差分を求めれば、本来得たい血管吸光スペクトルの吸光度に対応する相対値を求めることができる。差分をとることによってその分血管透過光成分量は低減するものの、非血管部の透過光成分を除外（キャンセル）する効果が期待できるからである。
【００７２】
そこで、本実施形態の合成処理では、第１の血管透過光成分と同様の要領で第２の受光結果から血管透過光成分を抽出する。具体的には、事前にｘ方向比率の変化を求め、最適測定点距離Ｒ１におけるｘ方向比率（以下、「ｘ方向適用比率」という。）を合成処理に用いる。例えば、図１０の右側下段のｘ方向比率の変化を表すｘ方向比率関数を測定点距離Ｒの関数Ｆｘ（Ｒ）として求め、ｘｙ方向適用比率Ｆｘ（Ｒ１）を設定しておく。このｘ方向適用比率Ｆｘ（Ｒ１）を最適測定点距離Ｒ１における全透過光の強度Ｉｘに乗じた値Ｆｘ（Ｒ１）・Ｉｘは、全透過光の強度Ｉｘに含まれる血管透過光成分量（第２の血管透過光成分量）に相当する。
【００７３】
そして、実際の測定において、照射位置とした発光素子５２からの距離がｘ方向に沿って最適測定点距離Ｒ１である受光素子５４を選んで第２の受光位置Ｐ２３を位置決めし、測定光の照射および受光測定を行う。その後、次式（２）に従い、第２の受光位置Ｐ２３での受光結果（全透過光の強度）Ｉｘｍとｘ方向適用比率Ｆｘ（Ｒ１）とから第２の血管透過光成分量Ｓを算出する。
Ｓ＝Ｆｘｍ（Ｒ１）・Ｉｘｍ  ・・・（２）
【００７４】
その後、次式（３）に従い、第１の血管透過光成分量から第２の血管透過光成分量を減算して、相対値Ｉを算出する。
Ｉ＝Ｌ−Ｓ  ・・・（３）
【００７５】
なお、受光測定は、例えば分光層５５の中心波長を所定の測定波長範囲内で単位波長ずつずらしながら行う。或いは、発光層５７の発光素子５２による発光波長を単位波長ずつずらして発光させながら行う。そして、波長毎に上記の合成処理を行って相対値を得ることで、相対スペクトルを合成する。図１１は、相対スペクトルの合成結果を模式的に示す図であり、シミュレーション等により求めた血管吸光スペクトルを併せて示している。図１１に示すように、相対スペクトルは、血管吸光スペクトルによって表される波長毎の吸光度変化と概ね比例しており、期待された非血管部の透過光成分を除外する効果が得られている。したがって、相対スペクトルを適宜データ処理することによって、血液中の血糖値等の血液成分を精度よく分析することが可能となる。
【００７６】
なお、ｙ方向比率関数Ｆｙ（Ｒ）によるｙ方向比率の近似精度およびｘ方向比率関数Ｆｘ（Ｒ）によるｘ方向比率の近似精度が高いほど、第１の受光結果および第２の受光結果から血管透過光成分を高精度に抽出することができる。したがって、ｙ方向比率関数Ｆｙ（Ｒ）およびｘ方向比率関数Ｆｘ（Ｒ）を求める際には、測定部位等を考慮して皮下脂肪層を適正に再現した上でシミュレーション等を行う。また、シミュレーションは、ｙ方向比率およびｘ方向比率を近似するのに十分な回数を繰り返し行い、ｙ方向比率関数Ｆｙ（Ｒ）およびｘ方向比率関数Ｆｘ（Ｒ）を得る。
【００７７】
また、場合によっては、採血による血液測定を行って測定結果をデータベース化しておき、これを利用して被検者２に応じたｙ方向比率関数Ｆｙ（Ｒ）およびｘ方向比率関数Ｆｘ（Ｒ）を求めるようにしてもよく、生体の個人差により生じる誤差の低減が図れる。生体の散乱をシミュレーション等して得たｙ方向比率関数Ｆｙ（Ｒ）およびｘ方向比率関数Ｆｘ（Ｒ）を汎用的に用いるとすると個人差による誤差の影響が大きい場合、例えば血液中の微量物質の濃度を分析する際等においては、被検者２毎にｙ方向比率関数Ｆｙ（Ｒ）およびｘ方向比率関数Ｆｘ（Ｒ）を設定するのが望ましい。
【００７８】
［機能構成］
図１２は、血液成分分析装置１０の主要な機能構成例を示すブロック図である。図１２に示すように、血液成分分析装置１０は、センサー部１１０と、操作入力部１２０と、表示部１３０と、通信部１４０と、処理部１５０と、記憶部１６０とを備える。
【００７９】
センサー部１１０は、図２のセンサーモジュール５０に該当し、複数の発光素子５２で構成される発光部１１１と、複数の受光素子５４で構成される受光部１１３とを有する。
【００８０】
操作入力部１２０は、ボタンスイッチやダイヤルスイッチ等の各種スイッチ、タッチパネル等の入力装置によって実現されるものであり、ユーザーによって為された各種の操作入力に応じて操作入力信号を処理部１５０に出力する。図１の操作スイッチ１６、タッチパネル１８がこれに該当する。
【００８１】
表示部１３０は、ＬＣＤ（Liquid Crystal Display）やＥＬディスプレイ（Electroluminescence display）等の表示装置によって実現されるものであり、処理部１５０から入力される表示信号に基づいて各種画面を表示する。図１のタッチパネル１８がこれに該当する。
【００８２】
通信部１４０は、処理部１５０の制御のもと、装置内部で利用される情報を外部の情報処理装置との間で送受するための通信装置である。図１の通信装置２０がこれに該当する。通信部１４０の通信方式としては、所定の通信規格に準拠したケーブルを介して有線接続する形式や、クレードルと呼ばれる充電器と兼用の中間装置を介して接続する形式、無線通信を利用して無線接続する形式等、種々の方式を適用可能である。
【００８３】
処理部１５０は、ＣＰＵ（Central Processing Unit）やＤＳＰ（Digital Signal Processor）等のマイクロプロセッサー、ＡＳＩＣ（Application Specific Integrated Circuit）等の制御装置および演算装置によって実現されるものであり、血液成分分析装置１０の各部を統括的に制御する。図１の制御基板３０がこれに該当する。この処理部１５０は、測定部１５１と、血管位置取得制御部１５５と、合成部としてのスペクトル合成部１５６と、分析部としての血液成分分析部１５７とを備える。なお、処理部１５０を構成する各部は、専用のモジュール回路等のハードウェアで構成することとしてもよい。
【００８４】
測定部１５１は、測定光の照射および受光測定を行う。この測定部１５１は、照射制御部１５２と、受光制御部１５３と、測定点設定部１５４とを含む。照射制御部１５２は、発光部１１１を構成する発光素子５２を個別に発光制御する。例えば、いわゆるアクティブマトリクス方式の駆動制御技術を利用することで実現できる。受光制御部１５３は、受光部１１３の受光素子５４により受光した全透過光からその強度に応じた電気信号を読み出す制御を行う。
【００８５】
測定点設定部１５４は、測定対象の血管の上方に位置する発光素子５２を選出して照射位置を位置決めする。また、測定点設定部１５４は、事前にシミュレーション等を行って設定した最適測定点距離Ｒ１に基づいて、照射位置、第１の受光位置、および第２の受光位置が所定の位置関係となるように受光素子５４を選出する。本実施形態では、測定点設定部１５４は、照射位置からの距離が測定対象の血管の走行方向（ｙ方向）に沿って最適測定点距離Ｒ１である受光素子５４を選出して第１の受光位置を位置決めする。また、照射位置からの距離がｙ方向と直交する測定対象の血管の径方向（ｘ方向）に沿って最適測定点距離Ｒ１である受光素子５４を選出して第２の受光位置を位置決めする。照射位置を起点として各方向に最適測定点距離Ｒ１の位置に受光素子５４がない場合には、この最適測定点距離Ｒ１の位置に最も近い受光素子５４を選出すればよい。
【００８６】
血管位置取得制御部１５５は、センサーモジュール５０を被せた皮下の生体画像（図４を参照）を取得し、生体画像を画像処理して血管位置を取得する。本実施形態では、公知の静脈認証技術等における生体画像の撮影技術や、公知の静脈認証技術等における生体画像から静脈パターンを識別する技術を適宜利用することで実現する。
【００８７】
スペクトル合成部１５６は、照射制御部１５２および受光制御部１５３の制御のもと、照射位置とした発光素子５２から測定光を照射し、第１の受光位置および第２の受光位置とした受光素子５４により受光測定することによって得た第１の受光結果と第２の受光結果とを、ｙ方向適用比率Ｆｙ（Ｒ１）およびｘ方向適用比率Ｆｘ（Ｒ１）を用いて合成処理する。
【００８８】
血液成分分析部１５７は、合成処理の結果得られた相対スペクトルに基づいて目的とする所定成分の血中濃度を算出する。本実施形態では、重回帰分析法、主成分回帰分析法、ＰＬＳ回帰分析法、独立成分分析法等の分析法を用いて相対スペクトルから血糖値を算出する。
【００８９】
記憶部１６０は、ＲＯＭ（Read Only Memory）やフラッシュＲＯＭ、ＲＡＭ（Random Access Memory）等の各種ＩＣ（Integrated Circuit）メモリーやハードディスク等の記憶媒体により実現されるものである。記憶部１６０には、血液成分分析装置１０を動作させ、この血液成分分析装置１０が備える種々の機能を実現するためのプログラムや、このプログラムの実行中に使用されるデータ等が事前に記憶され、或いは処理の都度一時的に記憶される。図１では、制御基板３０が搭載するメインメモリー３４や分析データ用メモリー３６、メモリーカード２２がこれに該当する。
【００９０】
この記憶部１６０には、処理部１５０を測定部１５１、血管位置取得制御部１５５、スペクトル合成部１５６、および血液成分分析部１５７として機能させ、分析処理（図１４を参照）を行うための分析プログラム１６１が記憶される。
【００９１】
また、記憶部１６０には、測定点距離データ１６２と、ｘ方向比率データ１６３と、ｙ方向比率データ１６４と、測定点データ１６５と、合成スペクトルデータ１６６と、血液成分値１６７とが記憶される。
【００９２】
測定点距離データ１６２は、事前にシミュレーション等を行って設定した最適測定点距離Ｒ１を記憶する。ｙ方向比率データ１６４は、事前にシミュレーション等を行って設定したｙ方向適用比率Ｆｙ（Ｒ１）を記憶する。ｘ方向比率データ１６３は、事前にシミュレーション等を行って設定したｘ方向適用比率Ｆｘ（Ｒ１）を記憶する。
【００９３】
測定点データ１６５は、測定点設定部１５４によって位置決めされた照射位置、第１の受光位置、および第２の受光位置を記憶する。図１３は、測定点データ１６５のデータ構成例を示す図である。図１３に示すように、測定点データ１６５は、照射位置と、第１の受光位置と、第２の受光位置とを対応付けたデータテーブルである。照射位置には、該当する発光素子５２の識別番号が登録され、第１の受光位置および第２の受光位置には、それぞれ該当する受光素子５４の識別番号が登録される。測定対象の血管上の複数の位置を照射位置とする場合には、照射位置毎に、第１の受光位置および第２の受光位置が対応付けられて設定される。
【００９４】
合成スペクトルデータ１６６は、スペクトル合成部１５６によって合成された相対スペクトル（図１１を参照）のデータを記憶する。血液成分値１６７は、血液成分分析部１５７によって算出された血糖値を記憶する。
【００９５】
［処理の流れ］
図１４は、分析処理の処理手順を示すフローチャートである。なお、ここで説明する処理は、処理部１５０が記憶部１６０から分析プログラム１６１を読み出して実行することで実現できる。血液成分分析装置１０は、図１４の処理手順に従って処理を行うことで血液成分分析方法を実施する。この分析処理は、血液成分分析装置１０が被検者２の身体に取り付けられ、所定の分析開始操作が入力されると開始される。
【００９６】
図１４に示すように、分析処理では先ず、血管位置取得制御部１５５が、血管の位置を取得して測定対象の血管を選択する（ステップＳ１）。ここでの処理に先立ち、照射制御部１５２がセンサーモジュール５０の発光素子５２を一斉発光させ、受光制御部１５３が全ての受光素子５４により受光測定（撮影）を行う。そして、血管位置取得制御部１５５は、得られた生体画像（輝度画像）のピクセル毎に、基準輝度と比較し２値化やフィルター処理をして血管位置を取得する。基準輝度未満のピクセルが血管、基準輝度以上のピクセルが非血管領域を示すことになる。
【００９７】
続いて、測定点設定部１５４が、血管上方の発光素子５２を選出して照射位置を位置決めする（ステップＳ３）。また、測定点設定部１５４は、ステップＳ３で位置決めした照射位置に従い、最適測定点距離Ｒ１を用いて受光素子５４を選出して第１の受光位置および第２の受光位置を位置決めする（ステップＳ５）。このとき、測定点設定部１５４は、照射位置、第１の受光位置、および第２の受光位置とした発光素子５２および受光素子５４の識別番号を登録した測定点データ１６５を作成する。
【００９８】
その後、測定光の照射および受光測定を行う。すなわち先ず、測定点データ１６５に照射位置として登録された発光素子５２を照射制御部１５２が発光制御することで、照射位置から測定光を照射する（ステップＳ７）。そして、受光制御部１５３が、分光層５５の中心波長を測定波長範囲内で単位波長ずつずらしながら、測定点データ１６５に第１の受光位置および第２の受光位置として登録された受光素子５４により受光測定を行う（ステップＳ９）。測定波長範囲内の全ての波長で受光測定を行ったならば受光測定を終了する（ステップＳ１１：ＹＥＳ）。
【００９９】
続いて、スペクトル合成部１５６が、ステップＳ９で波長毎に得られた第１の受光結果および第２の受光結果を合成処理する（ステップＳ１３）。具体的には、スペクトル合成部１５６は、第１の受光結果にｙ方向適用比率Ｆｙ（Ｒ１）を乗じて第１の血管透過光成分量Ｌを算出し（上記式（１））、第２の受光結果にｘ方向適用比率Ｆｘ（Ｒ１）を乗じて第２の血管透過光成分量Ｓを算出し（上記式（２））、第１の血管透過光成分量Ｌから第２の血管透過光成分量Ｓを減算して相対値Ｉを算出する（上記式（３））処理を波長毎に行って相対スペクトルを合成する。
【０１００】
その後、血液成分分析部１５７が、ステップＳ１３で合成した相対スペクトルに基づいて血糖値を算出し、血液成分値１６７として記憶して（ステップＳ１５）、本処理を終える。
【０１０１】
以上説明したように、本実施形態によれば、事前に血管の走行方向をｙ方向、これと直交する血管の径方向をｘ方向と定義して、シミュレーション等によりｙ方向比率関数Ｆｙ（Ｒ）およびｘ方向比率関数Ｆｘ（Ｒ）を求め、最適測定点距離Ｒ１と、ｙ方向適用比率Ｆｙ（Ｒ１）と、ｘ方向適用比率Ｆｘ（Ｒ１）とを設定しておくことができる。そして、実際の測定に際しては、血管の上方に位置する発光素子５２を選出して照射位置とし、照射位置からの距離がｙ方向に沿って最適測定点距離Ｒ１である血管上方の受光素子５４を選出して第１の受光位置とし、照射位置からの距離がｘ方向に沿って最適測定点距離Ｒ１である血管上方ではない受光素子５４を選出して第２の受光位置として位置決めすることができる。そして、照射位置から測定光を照射して受光測定を行うことができる。
【０１０２】
これによれば、受光される全透過光の強度に含まれる血管透過光成分の割合が大きいｙ軸上で第１の受光位置を位置決めし、血管透過光成分の割合が小さいｘ軸上で第２の受光位置を位置決めすることができる。また、センサーモジュール５０が備える発光素子５２および受光素子５４を選択的に用いて測定光の照射および受光測定を行うことができるので、例えば発光素子５２を一斉発光させて受光測定（撮影）を行う場合と比べて無用な透過光や反射光の影響を低減させることができる。
【０１０３】
そして、第１の受光結果から波長毎に血管透過光成分を抽出して第１の血管透過光成分量を算出し、第２の受光結果から波長毎に血管透過光成分を抽出して第２の血管透過光成分量を算出し、これらの差分をとることによって血管非透過光成分をキャンセルして、血管透過光成分量を反映した血管吸光スペクトルの相対スペクトルを合成することができる。したがって、全透過光の強度から血管透過光成分を適正に抽出することができ、これを用いることで血糖値等の血液成分を精度よく分析することができる。
【０１０４】
なお、上記した実施形態では、照射位置から血管の走行方向（ｙ方向）に沿って第１の受光位置を位置決めし、照射位置からｙ方向に直交する血管の径方向（ｘ方向）に沿って第２の受光位置を位置決めすることとしたが、第１の受光位置を血管の上方の照射位置と異なる位置とし、第２の受光位置を血管の上方ではない位置とする構成であればよい。すなわち、照射位置と第１の受光位置とを含む方向と、照射位置と第２の受光位置とを含む方向とが交差する位置関係になるように第１の受光位置および第２の受光位置を位置決めするようにしてもよい。その際、最適測定点距離Ｒ１、ｙ方向適用比率Ｆｙ（Ｒ１）、およびｘ方向適用比率Ｆｘ（Ｒ１）については、照射位置と第１の受光位置とを含む方向および照射位置と第２の受光位置とを含む方向に応じたｙ方向比率関数Ｆｙ（Ｒ）およびｘ方向比率関数Ｆｘ（Ｒ）を事前に求めて設定しておく。
【０１０５】
例えば、センサーモジュール５０の構成（発光素子５２および受光素子５４の配列）等の装置上の制約によって直交する方向で第１の受光位置および第２の受光位置を位置決めできない場合、本変形例のようにしてもよい。
【０１０６】
また、上記した実施形態では、予め最適測定点距離Ｒ１、ｙ方向適用比率Ｆｙ（Ｒ１）、およびｘ方向適用比率Ｆｘ（Ｒ１）を設定しておき、合成処理に用いることとした。これに対し、これらの各値を血管の深度や血管の径に応じて可変に設定するようにしてもよい。
【０１０７】
ここで、図７に示した血管透過光の強度分布は、血管の深度によって異なる。具体的には、血管の深度が深いほど血管透過光の強度が強い範囲はｙ方向で広く、ｘ方向で狭くなる（強度分布の楕円の長軸が長く、短軸が短くなる）。そして、血管の深度が深いほど、全透過光の強度に含まれる血管透過光の割合は、ｙ方向およびｘ方向ともに全体として小さくなり、ｙ方向比率が最大となる最適測定点距離Ｒ１も照射位置から遠くなる。一方で、血管透過光の強度分布は、血管の径によっても異なる。この場合は、血管の径が太いほど、血管透過光の強度が強い範囲はｘ方向で広くなる（強度分布の楕円の短軸が長くなり、円に近づく）。そして、血管の径が太いほど、全透過光の強度に含まれる血管透過光の割合はｘ方向において全体として大きくなる。
【０１０８】
そこで、生体の部位や異なる血管を想定する等して血管の深度が異なる皮下組織層や血管の径が異なる皮下組織層を再現し、シミュレーション等を行ってｙ方向比率関数Ｆｙ（Ｒ）およびｘ方向比率関数Ｆｘ（Ｒ）を求めておくこととしてもよい。そして、最適測定点距離Ｒ１、ｙ方向適用比率Ｆｙ（Ｒ１）、およびｘ方向適用比率Ｆｘ（Ｒ１）を血管の深度および径毎に対応付けた適用比率データテーブルとして用意しておくようにしてもよい。
【０１０９】
図１５は、適用比率データテーブルのデータ構成例を示す図である。図１５に示すように、適用比率データテーブルは、血管の深度の値幅Ｖ１１〜Ｖ１２，Ｖ１２〜Ｖ１３，・・・および血管の径の値幅Ｖ２１〜Ｖ２２，Ｖ２２〜Ｖ２３，・・・の組合せ毎に最適測定点距離Ｒ１、ｙ方向適用比率Ｆｙ（Ｒ１）、およびｘ方向適用比率Ｆｘ（Ｒ１）のデータセットＤ１１，Ｄ１２，・・・を設定したデータテーブルである。これら組合せ毎のＲ１，Ｆｙ（Ｒ１），Ｆｘ（Ｒ１）の各データセットは、事前にその組合せに応じた皮下組織層を再現することでｙ方向比率関数Ｆｙ（Ｒ）およびｘ方向比率関数Ｆｘ（Ｒ）を個別に求めて設定しておく。
【０１１０】
そして、実際の測定においては、適用比率データテーブルから測定対象の血管の深度および径に応じた最適測定点距離Ｒ１、ｙ方向適用比率Ｆｙ（Ｒ１）、およびｘ方向適用比率Ｆｘ（Ｒ１）を読み出して用いる。血管の深度は、測定対象の血管を選択するために取得した生体画像を画像処理し、生体画像に写った血管の境界部分の鮮明度やコントラストを判別することによって特定できる。血管の径は、生体画像に写った血管の径方向の幅を算出することによって特定できる。
【０１１１】
本変形例によれば、血管の深度に着目すれば、血管の深度が深くなるほどｘ方向比率に対するｙ方向比率が大きくなるように各値を設定することができる。加えて、血管の深度が深くなるほど最適測定点距離Ｒ１を大きく設定することができる。また、血管の径に着目すれば、血管の径が太くなるほどｙ方向比率に対するｘ方向比率が大きくなるように各値を設定することができる。これによれば、血管透過光成分量をより反映した血管吸光スペクトルの相対スペクトルを合成することが可能となる。
【０１１２】
また、上記した実施形態では、全透過光の強度から血管透過光成分を抽出して血管吸光スペクトルの相対スペクトルを合成する場合について説明した。これに対し、全透過光の強度から血管を透過しなかった光（血管非透過光）を抽出し、血管非透過光の分光スペクトル（非血管部吸光スペクトル）の相対スペクトルを合成することとしてもよい。この場合には、血管非透過光についてｙ方向比率関数およびｘ方向比率関数を事前に求めておく。例えば、上記した実施形態で説明したｙ方向比率関数Ｆｙ（Ｒ）およびｘ方向比率関数Ｆｘ（Ｒ）の逆数をとることで求めることができる。
【０１１３】
本変形例によれば、血管透過光成分量を反映しない非血管部吸光スペクトルの相対スペクトルを合成することができ、非血管部に存在する物質の濃度、例えば、間質液中のグルコース濃度を求めるといったことが可能となる。
【０１１４】
また、上記した実施形態では、１つの照射位置に対し、第１の受光位置および第２の受光位置の２つの受光位置で受光測定を行うこととしたが、３つ以上の受光位置で受光測定する構成としてもよい。例えば、血管の上方について２つ、血管の上方ではない１つの受光位置を位置決めし、受光測定するようにしてもよい。
【０１１５】
一例をあげれば、図５等に示す第１の受光位置Ｐ２１とは逆方向に（ｙ方向に沿って負の方向に）照射位置Ｐ１１から最適測定点距離Ｒ１離れた受光素子５４を選出し、第３の受光位置として位置決めして受光測定を行うこととしてもよい。第３の受光位置での第３の受光結果をどのように用いるのかは特に限定されるものではないが、例えば、合成処理において、ｙ方向比率を用いて第３の受光結果から第３の血管透過光成分量を算出する処理をさらに行う。そして、第１の血管透過光成分量と第３の血管透過光成分量との平均値を求め、求めた平均値から第２の血管透過光成分量を減算して相対値を算出するようにしてもよい。
【０１１６】
測定対象の血管の深度は、例えば血管が皮膚表面に対し平行でなく傾いている等、血管の走行方向の全域において同程度とは限らない。そのため、血管の上方のどの位置を照射位置とするのかによって合成結果が変動し、血液成分の分析精度の低下を招くおそれがある。本変形例によれば、このような合成結果のばらつきを低減して血液成分の分析精度の向上を図ることができる。
【０１１７】
あるいは、このような皮膚表面に対し血管が傾いている皮下組織層を再現したシミュレーション等を行い、事前に第１の受光位置用のｙ方向比率関数Ｆｙ（Ｒ）とは別に第３の受光位置用のｙ方向比率関数を求め、第１の受光位置に適用するｙ方向比率と第３の受光位置に適用するｙ方向比率とを個別に設定しておくこととしてもよい。これによれば、血管透過光成分量をより反映した血管吸光スペクトルの相対スペクトルを合成することができる。
【０１１８】
また、上記した実施形態では、ｙ方向比率が最大の測定点距離Ｒを最適測定点距離Ｒ１として合成処理に用いることとしたが、必ずしも最大値を採用する必要はない。この場合は、最適測定点距離Ｒ１とした測定点距離Ｒに応じたｙ方向比率関数Ｆｙ（Ｒ）の関数値Ｆｙ（Ｒ１）をｙ方向適用比率とすればよい。ｘ方向比率についても同様である。
【０１１９】
また、上記した実施形態では、ｙ方向比率が最大となる最適測定点距離Ｒ１におけるｘ方向比率関数Ｆｘ（Ｒ）の関数値Ｆｘ（Ｒ１）をｘ方向適用比率とする場合を例示した。これに対し、ｙ方向とｘ方向とで最適測定点距離Ｒ１を個別に設定する構成としてもよい。例えば、ｘ方向比率については、その値が最大となる測定点距離Ｒを最適測定点距離Ｒ１とし、あるいは最小となる測定点距離Ｒを最適測定点距離Ｒ１とする等してｘ方向適用比率Ｆｘ（Ｒ１）を設定するようにしてもよい。この場合、第１の受光位置および第２の受光位置は、対応する方向での最適測定点距離Ｒ１を用いて位置決めする。
【０１２０】
また、上記した実施形態では、血液成分分析装置１は、血液成分として血糖値を測定することを主として説明したが、他の血液成分を測定する場合も同様に適用できることは勿論である。例えば、ＧＰＴ（Glutamic Pyruvic Transaminase:グルタミン酸ピルビン酸転移酵素）等の酵素値、アルブミン等の血漿タンパク値、コレステロール値、乳酸値などの測定に本実施形態を適用することができる。
【符号の説明】
【０１２１】
１  血液成分分析装置、１１０  センサー部、１１１  発光部、５２  発光素子、１１３  受光部、５４  受光素子、１２０  操作入力部、１３０  表示部、１４０  通信部、１５０  処理部、１５１  測定部、１５２  照射制御部、１５３  受光制御部、１５４  測定点設定部、１５５  血管位置取得制御部、１５６  スペクトル合成部、１５７  血液成分分析部、１６０  記憶部、１６１  分析プログラム、１６２  測定点距離データ、１６３  ｙ方向比率データ、１６４  ｘ方向比率データ、１６５  測定点データ、１６６  合成スペクトルデータ、１６７  血液成分値、２  被検者、７１  血管、８１  皮下組織層、Ｐ１１  照射位置、Ｐ２１  第１の受光位置、Ｐ２３  第２の受光位置、Ｒ  測定点距離、Ｂ  測定光
【図１】
2015123341.tif 000003
【図２】
2015123341.tif 000004
【図３】
2015123341.tif 000005
【図４】
2015123341.tif 000006
【図５】
2015123341.tif 000007
【図６】
2015123341.tif 000008
【図９】
2015123341.tif 000009
【図１０】
2015123341.tif 000010
【図１１】
2015123341.tif 000011
【図１２】
2015123341.tif 000012
【図１３】
2015123341.tif 000013
【図１４】
2015123341.tif 000014
【図１５】
2015123341.tif 000015
【図７】
2015123341.tif 000016
【図８】
2015123341.tif 000017